(57)【要約】【課題】物品支持棚を特定の物品ごとに離合集散させて群を構成させても、群を構成する物品支持棚の相互の間が結合されていないので、物品の出し入れに際して相互の位置がずれることがあり、そこに収容した物品に損傷を与えることがあった。【解決手段】主枠とその主枠の両端から一側へ伸びる２個の脚枠によって平面視で四角形から一辺を欠いた略コ字形に構成された床枠と、その床枠に支柱を介して上方へ離隔させて設けた四角形の荷積み枠とを有する個別枠の多数を準備し、それら個別枠を支持上に支持して互いの外面を対向させ、隣り合った床枠の間にそれらの距離を所定の範囲内に規制する規制手段を橋架させて固定することによって解決される。【選択図】        図１
2005027870.tif 000002
【特許請求の範囲】
【請求項１】
主枠とその主枠の両端から一側へ伸びる平行な２個の脚枠によって平面視で四角形から一辺を欠いた略コ字形に構成された床枠と、その床枠に支柱を介して上方へ離隔させて設けられた同大の四角形に作られた荷積み枠とによって外面が四角形をした個別枠の多数を準備し、それら個別枠を支持上に支持して互いの外面を対向させ、隣り合った床枠の間を連結手段によって着脱可能に連結してなる集合形の物品支持棚。
【請求項２】
主枠とその主枠の両端から一側へ伸びる２個の脚枠によって平面視で四角形から一辺を欠いた略コ字形に構成された床枠と、その床枠の上方に設けられる四角形の荷積み枠とを有し、その荷積み枠の前後方向の長さを前記脚枠と略同様とし左右方向を２個の脚枠間の距離よりやや短く構成し、荷積み枠の前側の一辺を後側の一辺よりやや長く前記主枠と略同じ長さの前部材により構成するとともに、前記２個の脚枠の遊端と主枠の両端部よりやや内側へ偏位した位置とに支柱を設け、前記荷積み枠の前側部材を脚枠の遊端に設けた支柱によって支持してなる集合形の物品支持棚。
【発明の詳細な説明】
【０００１】
【産業上の利用分野】
この発明は倉庫や工場の限られたスペースに多数の物品を保管するのに好適な物品支持棚に関するもので、特に、保管される物品の量に応じて棚の保管能力を拡大縮小させることの出来るものに関する。
【０００２】
【従来の技術】
一般に、倉庫や工場の建屋内に多量の物品を保管するとき、それら被収容物品を目的に応じて分別し、床上に設置されたラック、あるいは収納棚と呼ばれる物品支持棚へ収納する手法が慣用されている。また、そこでは前記分別された物品ごとに物品支持棚を配置して、トラックやフォークリフトによる搬入や搬出の作業を効率よく行うための配慮がなされている（例えば、特許文献１参照）。
【０００３】
他方、近年は収納される物品を管理する技術の進歩により、短時間あるいは数日のうちに保管される物品の種類や数量がきわめて大きく変化するようになっている。そのため、倉庫内の空間を有効に利用すべく物品ごとに配される物品支持棚の数を増減させて、その保管能力を伸縮させる必要が生じている。換言すれば、物品支持棚を被収容物品ごとにまとめるべく、頻繁に離合集散させる作業が求められている。また、不使用時における収納場所が狭くて足りるような構成が求められている（例えば、特許文献２参照）。
【０００４】
【特許文献１】
特開２０００−１１８６４８号公報
【特許文献２】
特開２０００−１９０９６７号公報
【０００５】
【発明が解決しようとする課題】
しかしながら、物品支持棚を特定の物品ごとに離合集散させて群を構成させても、群を構成する物品支持棚の相互の間が結合されていないので、物品の出し入れに際して相互の位置がずれることがあり、そこに収容した物品に損傷を与えることがあった。また、物品支持棚の相互間を連結する手段は、現在の技術水準からして設置が難しい訳ではないが、そこには連結と分離の操作が容易であることゝ、廉価に製造することゝが求められている。
【０００６】
【課題を解決するための手段】
上記した課題は、主枠とその主枠の両端から一側へ伸びる平行な２個の脚枠によって平面視で四角形から一辺を欠いた略コ字形に構成された床枠と、その床枠に支柱を介して上方へ離隔させて設けられた同大の四角形に作られた荷積み枠とによって外面が四角形をした個別枠の多数を準備し、それら個別枠を支持上に支持して互いの外面を対向させ、隣り合った床枠の間を連結手段によって着脱可能に連結することによって解決される。
また、主枠とその主枠の両端から一側へ伸びる２個の脚枠によって平面視で四角形から一辺を欠いた略コ字形に構成された床枠と、その床枠の上方に設けられる四角形の荷積み枠とを有し、その荷積み枠の前後方向の長さを前記脚枠と略同様とし左右方向を２個の脚枠間の距離よりやや短く構成し、荷積み枠の前側の一辺を後側の一辺よりやや長く前記主枠と略同じ長さの前部材により構成するとともに、前記２個の脚枠の遊端と主枠の両端部よりやや内側へ偏位した位置とに支柱を設け、前記荷積み枠の前側部材を脚枠の遊端に設けた支柱によって支持してもよい。
【０００７】
【作用】
数個の個別枠を、床枠をなす脚枠を同一方向へ向けて隣合わせに並べ、さらに、その背面に背中合わせに数個を並べると、前後方向に開口する集合形の物品支持棚が形成される。各個別枠をこの状態に並べると各物品支持棚の床枠は、それぞれ隣接、あるいは背中合わせの位置にある物品支持棚の床枠と平行に並ぶので、その並んだ部分に上方から両端を折り曲げてコ字形に作られた連結手段を下向きにして被せると、各個別枠は分離しなくなり一体化されて物品支持棚となる。
【０００８】
【発明の実施の態様】
以下、本願発明の実施の一態様を説明する。図１中、１０はこの発明に係る集合形の物品支持棚である。物品支持棚１０は多数の個別枠１２、１２を左右に並べて連結して列を作り、その列を背中合わせに結合して構成されている。また、物品支持棚１０は必要に応じて上下にも積み重ねて多段に構成される。かくて、物品支持棚１０の前面と裏面とに、物品を収容するための多数の開口１４、１４が形成され、被収容物品を収容するための区画された多数の空間が形成される。
【０００９】
物品支持棚１０を形成する個別枠１２、１２は図２から図４で示すように、床枠２０と支柱３０を介して上方に支持された荷積み枠４０とによって構成されている。これら床枠２０、支柱３０および荷積み枠４０は相互に溶接組み立てされており、個別枠１２、１２自体に高い剛性が付与されている。
【００１０】
床枠２０は工業規格の溝形鋼の溝を下側にして配置された主枠２２と、その両端から一側へ直角方向へ伸びる平行な２個の脚枠２４、２４によって構成されている。そして、前記主枠２２の両端近傍には、端面からその幅の２倍程度離れた位置に後側支柱３０ａと、両脚枠２４、２４の遊端近傍に位置して前側支柱３０ｂとが設けられている。３２は補強用の筋交いである。かくて、床枠２０は平面視で四角形から一辺を欠いた略コ字形に構成され、切欠かれた側面が被収容物品を出し入れするための前記開口１４をなす。なお、脚枠２４、２４も主枠２２と同様に溝形鋼を用い、その溝を下向きにして用いられている。
【００１１】
前記荷積み枠４０は前側支柱３０ｂ、３０ｂの間に橋架された比較的長い前側部材４２ａと、後側支柱３０ａ、３０ａの間に橋架された比較的短い後側部材４２ｂ、および前側部材４２ａと後側部材４２ｂとを連結する左右の連結部材４２ｃ、４２ｃとからなる四角形の額縁状の外枠部材４２を有する。そして、その外側部材４２の内側の開口部は、比較的細い材料によって粗い四角形をした多数の通孔を有する支持網部材４４で閉じ、図示してない被収納物品を載せ得る構造になっている。なお、４６は物品支持棚１０を積み重ねて用いる際、前後方向を位置決めするためのストッパ板、４８は左右方向を位置決めするための位置決め突起であり、上方へ尖った三角形をなしている。
【００１２】
なお、前記左右の連結部材４２ｃ、４２ｃは下方の脚枠２４と同様の素材で作られており、かつ、平面視で１個分よりやゝ大きく内側に配置されている。かくて、２個の個別枠１２、１２を前後方向へ若干ずらせて、図５中、仮想線で示す位置へ移動させると、上側となる個別枠１２が下側となる個別枠１２の外面を覆う形で重ね合わされ、比較的狭い場所に使用していない多数の個別枠１２、１２を収納しておくことができる。
【００１３】
上記した構成の個別枠１２、１２の多数を左右に並べ、あるいは背中合わせに並べることにより、集合形の物品支持棚１０が構成される。さらに、必要によりそれらを上下２段、あるいは３段に積み重ねて用いることもある。よって、物品支持棚１０は前後、および表裏に多数の開口ができ、その開口を通じて倉庫の床上へ直接に、あるいは前記荷積み枠４０の上に被収納物品を収納することができるようになる。
【００１４】
５０は隣接して配列された個別枠１２、１２の相互間を着脱可能に連結するための連結手段である。連結手段５０は短冊状をした鋼板の両端部を同方向へ折り曲げて、連結板５２と係合板５４、５４とからなる略コ字形としたもので、係合板５４、５４間の距離は個別枠の床枠２０をなす主枠２２、あるいは脚枠２４の幅の２個分よりやや広く作られている。また、係合板５４、５４の長さは主枠２２、あるいは脚枠２４の高さと略同じに作られている。よって、連結手段５０の係合板５４、５４を下にして主枠２２、あるいは脚枠２４の並んでいる上へ降ろし、係合板５４、５４によって挟むことによって装着すれば、隣接する主枠２２、あるいは脚枠２４は長手方向と直交する方向へ分離しないようになる。
【００１５】
以上のように、この態様による物品支持棚１０は多数の個別枠１２、１２を上下左右、あるいは表裏に結合することによって拡大縮小することが可能となり、短期間に行われる被収納物品の急増急減に対応して拡大あるいは縮小させることができる。その際、各個別枠１２、１２は連結手段５０を着脱するだけの簡単な操作によって結合および分離を行うことができる他、分離した個別枠１２、１２を小さいスペースの中で積み重ねて収納しておくことが出来る。
図１では連結手段５０を地階にのみ使用した例で示したが、２階に用いれば一層強固な棚になりうる。
【００１６】
【発明の効果】
本願発明に係る物品支持棚は、多数の個別枠を集合して構成されており、それらは連結手段を装着したり、抜き取ったりする簡単な操作によって、結合および分解することができる。また、物品支持棚を構成する床枠は平面視で四角形から一辺を欠いた略コ字形に構成されているから、欠けた一辺を前面に配置すれば、特に、フォークリフトを使用しての物品の送込みや取り出しが容易である。さらに、荷積み枠の幅を床枠の幅よりやゝ狭く構成したから、前後方向へ若干移動させる操作によって積み重ねることができ、不使用時の収納が容易である。
などの効果がある。
【図面の簡単な説明】
【図１】本願発明に係る集合形の物品支持棚を示す外観図である。
【図２】個別枠を取り出して示す外観図である。
【図３】個別枠の平面図である。
【図４】図３の正面図である。
【図５】図３の側面図である。
【図６】図５中のＶＩ−ＶＩ断面図である。
【符号の説明】
１０・・・・物品支持棚
１２・・・・個別枠
１４・・・・開口
２０・・・・床枠
２２・・・・主枠
２４・・・・脚枠
３０・・・・支柱
３０ａ・・・・後側支柱
３０ｂ・・・・前側支柱
３２・・・・筋交い
４０・・・・荷積み枠
４２・・・・外枠部材
４２ａ・・・・前側部材
４２ｂ・・・・後側部材
４２ｃ・・・・連結部材
４４・・・・支持網部材
４６・・・・ストッパ板
４８・・・・位置決め突起
５０・・・・連結手段
５２・・・・連結板
５４・・・・係合板
【図１】
2005027870.tif 000003
【図２】
2005027870.tif 000004
【図３】
2005027870.tif 000005
【図４】
2005027870.tif 000006
【図５】
2005027870.tif 000007
【図６】
2005027870.tif 000008